(57)【要約】  本発明の目的は、表裏のシート部の間に挟み込んだ書類の離脱防止をより図ったクリアファイルを提供するものである。  クリアファイル１は、合成樹脂製の表裏のシート部１Ａ、１Ｂの右側縁１ＡＲ、１ＢＲ及び上側縁１ＡＵ、１ＢＵは開放されて表裏のシート部１Ａ、１Ｂの間に書類１０を挟み込むことができるようになっているクリアファイル１であって、対向する右側縁１ＡＲ、１ＢＲの表裏の内、一方１ＡＲに右側係止部ＡＫＲを、他方１ＢＲに右側被係止部ＢＵＲをそれぞれ設け、右側係止部ＡＫＲを右側被係止部ＢＵＲに係止させて、書類１０がクリアファイル１から離脱するのを防止するものである。
2014178183.tif 000002
【特許請求の範囲】
【請求項１】
合成樹脂製の表裏のシート部の右側縁及び上側縁は開放されて前記表裏のシート部の間に書類を挟み込むことができるようになっているクリアファイルであって、
対向する前記シート部の表裏の内、一方のシート部の右側縁及び/又は上側縁に係止部を、他方のシート部の前記右側縁及び/又は前記上側縁に被係止部をそれぞれ設け、前記係止部を前記被係止部に係止させて、前記書類が前記クリアファイルから離脱するのを防止するものであり、
前記係止部は、前記一方のシート部の前記右側縁側及び/又は前記上側縁側に前記右側縁及び/又は前記上側縁より突出しないように、前記右側縁及び/又は前記上側縁の内方であって、前記一方のシート部に切り込んで形成された凸状片であり、前記被係止部は、前記他方のシート部に縁から切り込まれたスリットであり、
前記凸状片を前記一方のシート部の面から前記スリットを介して前記他方のシート部の背面側に回り込ませて、前記凸状片を前記スリットに係止させることを特徴とするクリアファイル。
【請求項２】
凸状片は、一方のシート部の右側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、
前記一方のシート部の本体と前記第２の辺部とを接続する接続部位に、
前記第１の辺部に向かう切り欠き部が形成されて接続されているか、
又は、
前記第２の辺部は、前記一方のシート部の本体に近づくに従って前記一方のシート部の右側縁に近づくように傾斜して接続されていることを特徴とする請求項１記載のクリアファイル。
【請求項３】
凸状片は、一方のシート部の上側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、
前記一方のシート部の本体と前記第２の辺部とを接続する接続部位に、
前記第１の辺部に向かう切り欠き部が形成されて接続されているか、
又は、
前記第２の辺部は、前記一方のシート部の本体に近づくに従って前記一方のシート部の上側縁に近づくように傾斜して接続されていることを特徴とする請求項１記載のクリアファイル。
【請求項４】
一方のシート部は、一方のシート部の本体と、この一方のシート部の本体より突出した凸状片とを有し、
この凸状片は、前記一方のシート部の右側縁の近傍に設けられ、
前記凸状片と前記一方のシート部の本体との接続部位に、
前記右側縁に向かう切り欠き部が形成されて接続されているか、
又は、
前記凸状片の突出縁部の内、前記右側縁に遠い側の突出縁部は、前記一方のシート部の本体に近づくに従って前記右側縁に近づくように傾斜して接続されていることを特徴とする請求項１記載のクリアファイル。
【請求項５】
一方のシート部は、一方のシート部の本体と、この一方のシート部の本体より突出した凸状片とを有し、
この凸状片は、前記一方のシート部の上側縁の近傍に設けられ、
前記凸状片と前記一方のシート部の本体との接続部位に、
前記上側縁に向かう切り欠き部が形成されて接続されているか、
又は、
前記凸状片の突出縁部の内、前記上側縁に遠い側の突出縁部は、前記一方のシート部の本体に近づくに従って前記上側縁に近づくように傾斜して接続されていることを特徴とする請求項１記載のクリアファイル。
【請求項６】
切り欠き部は、一方のシート部の右側縁又は上側縁に向かう方向に閉じた略逆Ｕ字形形状に形成されていることを特徴とする請求項２〜５のいずれかに記載のクリアファイル。
【請求項７】
切り欠き部は、一方のシート部の右側縁又は上側縁に向かう方向に長い略長方形形状に形成されていることを特徴とする請求項２〜５のいずれかに記載のクリアファイル。
【請求項８】
切り欠き部は、一方のシート部の右側縁又は上側縁に向かう方向に狭い逆Ｖ字形状に形成されていることを特徴とする請求項２〜５のいずれかに記載のクリアファイル。
【請求項９】
合成樹脂製の矩形の表シート部と裏シート部とが重ね合され、その右側及び上側の開放されたシート縁どうしの間を通して、前記表裏のシート部の間に書類を挟み込むことができるようになっているクリアファイルであって、
前記シート部の表裏の内、一方のシート部の開放されたシート縁側に係止部を設け、他方のシート部に前記係止部を係止させる被係止部を設けて、係止により挟み込んだ書類がクリアファイルから離脱するのを防止するものであり、
前記係止部は、シート部への切込み及び／またはシート部の一部領域の切取りにより形成され、シート部との接続部位がシート縁と略垂直になっている凸状片であり、
前記被係止部は、シート部への切込みにより形成され、シート縁から内方へ略垂直に延びるスリットであり、
前記凸状片を前記スリットに差し込んで前記スリット側シート部の背面側に回り込ませて重ね合わせることで係止させることを特徴とするクリアファイル。
【請求項１０】
凸状片はシート部との接続部位側の幅寸法が、前記凸状片の内方縁の傾斜または接続部位側の切り欠きにより、狭められていることを特徴とする請求項９に記載のクリアファイル。
【請求項１１】
凸状片が、シート部のシート縁に連続した欠落部の縁からの切込みにより形成されていることを特徴とする請求項１０に記載のクリアファイル。
【請求項１２】
凸状片形成用の切込みにより二つに分けられたシート部は、欠落部側にできた角部が切取られて丸みが付けられていることを特徴とする請求項１１に記載のクリアファイル。
【請求項１３】
スリット形成用の切込みにより分けられた二つのシート部のうち重ね合わせ側にくるものは、シート縁側にできた角部が切り取られて丸みが付けられていることを特徴とする請求項１１または１２に記載のクリアファイル。
【請求項１４】
凸状片とスリットの組み合わせを、シート部の右側縁側と上側縁の両方に形成し、凸状片を形成したシート部では、それぞれの凸状片の頂部が時計回りまたは反時計回りで同じ方向を向いていることを特徴とする請求項９〜１４のいずれかに記載のクリアファイル。
【発明の詳細な説明】
【技術分野】
【０００１】
本発明は、クリアファイルに係り、特に、表裏のシート部の間に挟み込んだ書類の離脱防止を図ったクリアファイルに関する。
【背景技術】
【０００２】
従来、表シート部と裏シート部の間に書類を挟み込むことができるクリアファイルがある（例えば、特許文献１参照）。
このクリアファイルにあっては、表シート部の垂直縁に縦長の凹部を設け、裏シート部の垂直縁の対応位置に掛止片を切込み形成している。
そして、表シート部と裏シート部の間に書類を挟み込んだあと、裏シート部の掛止片を指で摘んで切込みから起こし、書類の縁を外方からカバーし、表シート部の正面側に回り込み、表シート部の凹部に嵌合し掛止して、表裏シート部の垂直縁を閉じ状態にロックして挟み入れた書類等が抜け出さないようにしている。
【先行技術文献】
【特許文献】
【０００３】
【特許文献１】実用新案登録第３１７６９４３号公報
【発明の概要】
【発明が解決しようとする課題】
【０００４】
ところが、小さい掛止片を指で一々摘まねばならず、面倒で作業性が良好でないと共に、掛止片の基部（接続部位）がシートの縁部に近いこともあって、小さい掛止片を指で摘んで引っ張る際、掛止片の基部が破損し易く、しかも、クリアファイル内の書類の移動方向が掛止片と凹部の掛止状態を解除する方向であるため、書類がクリアファイルから離脱し易いという問題点があった。【０００５】
本発明は、上記の問題点を考慮しなされたクリアファイルを提供することを目的とする。
【課題を解決するための手段】
【０００６】
請求項１記載のクリアファイルは、合成樹脂製の表裏のシート部の右側縁及び上側縁は開放されて前記表裏のシート部の間に書類を挟み込むことができるようになっているクリアファイルであって、対向する前記シート部の表裏の内、一方のシート部の右側縁及び/又は上側縁に係止部を、他方のシート部の前記右側縁及び/又は前記上側縁に被係止部をそれぞれ設け、前記係止部を前記被係止部に係止させて、前記書類が前記クリアファイルから離脱するのを防止するものであり、前記係止部は、前記一方のシート部の前記右側縁側及び/又は前記上側縁側に前記右側縁及び/又は前記上側縁より突出しないように、前記右側縁及び/又は前記上側縁の内方であって、前記一方のシート部に切り込んで形成された凸状片であり、前記被係止部は、前記他方のシート部に縁から切り込まれたスリットであり、前記凸状片を前記一方のシート部の面から前記スリットを介して前記他方のシート部の背面側に回り込ませて、前記凸状片を前記スリットに係止させるものである。【０００７】
また、請求項２記載のクリアファイルは、請求項１記載のクリアファイルにおいて、凸状片は、一方のシート部の右側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、前記一方のシート部の本体と前記第２の辺部とを接続する接続部位に、前記第１の辺部に向かう切り欠き部が形成されて接続されているか、又は、前記第２の辺部は、前記一方のシート部の本体に近づくに従って前記一方のシート部の右側縁に近づくように傾斜して接続されているものである。【０００８】
また、請求項３記載のクリアファイルは、請求項１記載のクリアファイルにおいて、凸状片は、一方のシート部の上側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、前記一方のシート部の本体と前記第２の辺部とを接続する接続部位に、前記第１の辺部に向かう切り欠き部が形成されて接続されているか、又は、前記第２の辺部は、前記一方のシート部の本体に近づくに従って前記一方のシート部の上側縁に近づくように傾斜して接続されているものである。【０００９】
また、請求項４記載のクリアファイルは、請求項１記載のクリアファイルにおいて、一方のシート部は、一方のシート部の本体と、この一方のシート部の本体より突出した凸状片とを有し、この凸状片は、前記一方のシート部の右側縁の近傍に設けられ、前記凸状片と前記一方のシート部の本体との接続部位に、前記右側縁に向かう切り欠き部が形成されて接続されているか、又は、前記凸状片の突出縁部の内、前記右側縁に遠い側の突出縁部は、前記一方のシート部の本体に近づくに従って前記右側縁に近づくように傾斜して接続されているものである。【００１０】
また、請求項５記載のクリアファイルは、請求項１記載のクリアファイルにおいて、一方のシート部は、一方のシート部の本体と、この一方のシート部の本体より突出した凸状片とを有し、この凸状片は、前記一方のシート部の上側縁の近傍に設けられ、前記凸状片と前記一方のシート部の本体との接続部位に、前記上側縁に向かう切り欠き部が形成されて接続されているか、又は、前記凸状片の突出縁部の内、前記上側縁に遠い側の突出縁部は、前記一方のシート部の本体に近づくに従って前記上側縁に近づくように傾斜して接続されているものである。【００１１】
また、請求項６記載のクリアファイルは、請求項２〜５のいずれかに記載のクリアファイルにおいて、切り欠き部は、一方のシート部の右側縁又は上側縁に向かう方向に閉じた略逆Ｕ字形形状に形成されているものである。【００１２】
また、請求項７記載のクリアファイルは、請求項２〜５のいずれかに記載のクリアファイルにおいて、切り欠き部は、一方のシート部の右側縁又は上側縁に向かう方向に長い略長方形形状に形成されているものである。【００１３】
また、請求項８記載のクリアファイルは、請求項２〜５のいずれかに記載のクリアファイルにおいて、切り欠き部は、一方のシート部の右側縁又は上側縁に向かう方向に狭い逆Ｖ字形状に形成されているものである。【００１４】
請求項９記載のクリアファイルは、合成樹脂製の矩形の表シート部と裏シート部とが重ね合され、その右側及び上側の開放されたシート縁どうしの間を通して、前記表裏のシート部の間に書類を挟み込むことができるようになっているクリアファイルであって、前記シート部の表裏の内、一方のシート部の開放されたシート縁側に係止部を設け、他方のシート部に前記係止部を係止させる被係止部を設けて、係止により挟み込んだ書類がクリアファイルから離脱するのを防止するものであり、前記係止部は、シート部への切込み及び／またはシート部の一部領域の切取りにより形成され、シート部との接続部位がシート縁と略垂直になっている凸状片であり、前記被係止部は、シート部への切込みにより形成され、シート縁から内方へ略垂直に延びるスリットであり、前記凸状片を前記スリットに差し込んで前記スリット側シート部の背面側に回り込ませて重ね合わせることで係止させるものである。
請求項１０記載のクリアファイルは、凸状片はシート部との接続部位側の幅寸法が、前記凸状片の内方縁の傾斜または接続部位側の切り欠きにより、狭められているものである。
請求項１１記載のクリアファイルは、凸状片が、シート部のシート縁に連続した欠落部の縁からの切込みにより形成されているものである。
請求項１２記載のクリアファイルは、凸状片形成用の切込みにより二つに分けられたシート部は、欠落部側にできた角部が切取られて丸みが付けられているものである。
請求項１３記載のクリアファイルは、スリット形成用の切込みにより分けられた二つのシート部のうち重ね合わせ側にくるものは、シート縁側にできた角部が切り取られて丸みが付けられているものである。
請求項１４記載のクリアファイルは、凸状片とスリットの組み合わせを、シート部の右側縁側と上側縁の両方に形成し、凸状片を形成したシート部では、それぞれの凸状片の頂部が時計回りまたは反時計回りで同じ方向を向いているものである。
【発明の効果】
【００１５】
請求項１記載のクリアファイルによれば、対向するシート部の表裏の内、一方のシート部の右側縁及び/又は上側縁に係止部を、他方のシート部の前記右側縁及び/又は前記上側縁に被係止部をそれぞれ設けているため、凸状片を手の指で摘まなくても、スリットの一方の側の近傍の右側縁又は上側縁を一方の手の指で、スリットの他方の側の近傍の右側縁又は上側縁を他方の手の指で、それぞれ把持し、手の動作を互いに異なる方向に動作させれば、凸状片（舌片）とスリットとの係合を容易に行うことができ、
しかも、凸状片を一方のシート部の面からスリットを介して他方のシート部の面に位置させて、凸状片をスリットに係止させるため、対向する一方のシート部と他方のシート部とが互いに戻ろうとする一種の弾性力により係止状態が保持され、書類がクリアファイルから離脱するのをより防止することができ、
更に、クリアファイル内の書類の移動によって、該書類は凸状片の回動部位の下端に当接し、つまり、書類の移動方向は、凸状片とスリットとの係止状態を解除する方向でないため、クリアファイル内の書類の移動によって、解除されず、書類がクリアファイルから離脱しにくい等の効果を奏する。【００１６】
また、請求項２記載のクリアファイルによれば、前述の請求項１記載の発明の効果に加え、凸状片は、一方のシート部の本体と第２の辺部とを接続する接続部位に、第１の辺部に向かう切り欠き部が形成されて接続されているか、又は、第２の辺部は、一方のシート部の本体に近づくに従って一方のシート部の右側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。【００１７】
また、請求項３記載のクリアファイルによれば、前述の請求項１記載の発明の効果に加え、凸状片は、一方のシート部の本体と第２の辺部とを接続する接続部位に、第１の辺部に向かう切り欠き部が形成されて接続されているか、又は、第２の辺部は、一方のシート部の本体に近づくに従って一方のシート部の上側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。【００１８】
また、請求項４記載のクリアファイルによれば、前述の請求項１記載の発明の効果に加え、凸状片と前記一方のシート部の本体との接続部位に、前記右側縁に向かう切り欠き部が形成されて接続されているか、又は、前記凸状片の突出縁部の内、前記右側縁に遠い側の突出縁部は、前記一方のシート部の本体に近づくに従って前記右側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。【００１９】
また、請求項５記載のクリアファイルによれば、前述の請求項１記載の発明の効果に加え、凸状片と前記一方のシート部の本体との接続部位に、
前記上側縁に向かう切り欠き部が形成されて接続されているか、
又は、
前記凸状片の突出縁部の内、前記上側縁に遠い側の突出縁部は、前記一方のシート部の本体に近づくに従って前記上側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。【００２０】
請求項９〜１３記載のクリアファイルによれば、凸状片を摘まずとも、シート部を曲げて凸状片をスリット側シート部に向けて倒すことで、係合させることができる。また、クリアファイルに挟み込んだ書類が動いてシート縁に寄っても、方向的に、凸状片の接続部位とスリットとの隙間を広げることはできないので、挟み込んだ書類の移動が原因で係合が解除されることはない。
クリアファイルに挟み込んだ書類が当たるのは、凸状片の内方縁の接続部位側の端部になるが、接続部位を幅狭に設定すれば、結果的にこの端部がシート縁側に寄るので、凸状片をある程度の大きさに設定しても、挟み込んだ書類の大きさを制限することにはならない。一方、凸状片をある程度の大きさに設計できるので、係合時にスリット側シート部の背面側と弾性的な押圧状態で重ね合されるので、この工夫を採用すれば、係合がより安定化する。
また、クリアファイルには、表シート部から裏シート部を離し易いように、シート縁、特に右端縁を丸く切り取って欠落部を形成することが多いが、この欠落部を利用して凸状片を形成すれば、その凸状片の頂部の上は空いているので、係合させる際には、凸状片を僅かに倒すだけで済む。このタイプでは、凸状片側やスリット側の切込みにより二つに分けられたシート部の角部に丸みを付けることで、差込みをスムーズにすることができる。
さらに、凸状片とスリットの組み合わせは、開放されたシート縁である右側縁と上端縁の両方に形成すれば、挟み込んだ書類がいずれのシート縁からも離脱し難くなるが、その場合には、凸状片の向きを時計回りまたは反時計回りで揃えることが好ましい。係合させるときに、シート部を多少なりとも曲げるので、揃えた方が、既に係合させた凸状片が脱落し難いからである。
【図面の簡単な説明】
【００２１】
【図１】図１は、本発明の一実施例のクリアファイルの概略的正面図である。
【図２】図２は、図１のクリアファイルに書類を挟み込んで収納する状態を示す概略的斜視図である。
【図３】図３は、図１のクリアファイルの表側の係止部を被係止部に係止させた状態の上縁部の一部を拡大して示す概略的一部拡大正面図である。
【図４】図４は、図３の概略的背面図である。
【図５】図５は、係止前の一部を拡大して示す概略的一部拡大平面図である。
【図６】図６は、図３の概略的拡大平面図である。
【図７】図７は、図１のクリアファイルの右側縁部の一部を拡大して示す概略的一部拡大正面図である。
【図８】図８は、図７の概略的背面図である。
【図９】図９は、係止前の図７の概略的拡大右側面図である。
【図１０】図１０は、図７の概略的拡大右側面図である。
【図１１】図１１は、図７の指掛かり部の形状の右側縁開口部のスペース取りを説明するための概略的説明図である。
【図１２】図１２は、図８の被係止部の位置を説明するための概略的説明図である。
【図１３】図１３は、図３と異なる他の実施例の概略的一部拡大正面図である。
【図１４】図１４は、図１３と異なる他の実施例の概略的一部拡大正面図である。
【図１５】図１５は、図１４と異なる他の実施例の概略的一部拡大正面図である。
【図１６】図１６は、図１５と異なる他の実施例の概略的一部拡大正面図である。
【図１７】図１７は、図１６と異なる他の実施例の概略的一部拡大正面図である。
【図１８】図１８は、図１７の概略的背面図である。
【図１９】図１９は、図１７と異なる他の実施例の概略的一部拡大正面図である。
【図２０】図２０は、図１９と異なる他の実施例の概略的一部拡大正面図である。
【図２１】図２１は、他の実施例のクリアファイルの概略的一部拡大正面図である。
【図２２】図２１の表シート部の正面図及び裏シート部の正面図である。
【図２３】図２１の係合させた状態の説明図である。
【発明を実施するための形態】
【００２２】
本発明の一実施例のクリアファイルを図面を参照して説明する。
図１及び図２に示す１はクリアファイルで、クリアファイル１は、合成樹脂製(例えば、ポリプロピレン）の表裏のシート部１Ａ、１Ｂの右側縁１ＡＲ、１ＢＲ及び上側縁１ＡＵ、１ＢＵは開放されて表裏のシート部１Ａ、１Ｂの間に書類１０を挟み込むことができるようになっている。
上述した１Ａは表のシート部、１Ｂは裏のシート部、１ＡＲは表のシート部１Ａの右側縁、１ＢＲは裏のシート部１Ｂの右側縁、１ＡＵは表のシート部１Ａの上側縁、１ＢＵは裏のシート部１Ｂの上側縁である。
【００２３】
クリアファイル１は、例えば、透明又半透明で形成され、図２に示すように、対向するシート部１Ａ、１Ｂの表裏の内表シート部１Ａの右側縁１ＡＲ及び上側縁１ＡＵに係止部ＡＫＲ、ＡＫＵを、裏シート部１Ｂの右側縁１ＢＲ及び上側縁１ＢＵに被係止部ＢＵＲ、ＢＵＵをそれぞれ設け、係止部ＡＫＲ、ＡＫＵを被係止部ＢＵＲ、ＢＵＵに係止させて、書類１０がクリアファイル１から離脱するのを防止することができるようになっている。
なお、係止部ＡＫＲ、ＡＫＵを表である右側縁１ＡＲ、上側縁１ＡＵに、被係止部ＢＵＲ、ＢＵＵを裏である右側縁１ＢＲ、上側縁１ＢＵに、それぞれ設けたが、本願発明は、これに限らず、図示しないが、逆に、係止部ＡＫＲ、ＡＫＵを裏である右側縁１ＢＲ、上側縁１ＢＵに、被係止部ＢＵＲ、ＢＵＵを表である右側縁１ＡＲ、上側縁１ＡＵにそれぞれ設けるようにしても良い。
【００２４】
上記した係止部ＡＫＲ、ＡＫＵは、表シート部１Ａの右側縁１ＡＲ及び上側縁１ＡＵより突出しないように、右側縁１ＡＲ及び上側縁１ＡＵの内方であって、表シート部１Ａに切り込んで形成された凸状片（爪片）である。
また、上記した被係止部ＢＵＲ、ＢＵＵは、裏シート部１Ｂに切り込まれたスリットである。スリットＢＵＲ、ＢＵＵは、図４、図８に示すような直線でも、図示しないが、曲線でも良い。
なお、上記した係止部ＡＫＲは、指掛かり部の形状の右側縁開口部（欠落部）ＨＲに臨むように設けられているが、係止部ＡＫＵを図１３乃至図１８のように、指掛かり部の形状の上側縁開口部（欠落部）ＨＵに臨むように設けるようにしても良い。
また、係止部ＡＫＲは、指掛かり部の形状の右側縁開口部ＨＲを設けず、図１乃至図３記載の係止部ＡＫＵと同様、単に、シート部１Ａ、１Ｂの表裏の内、一方のシート部に切り込みを入れるようにしても良い。
【００２５】
従って、上述したクリアファイル１によれば、対向するシート部１Ａ、１Ｂの表裏の内、表シート部１Ａの右側縁１ＡＲ及び上側縁１ＡＵに係止部ＡＫＲ、ＡＫＵを、裏シート部１Ｂの右側縁１ＢＲ及び上側縁１ＢＵに被係止部ＢＵＲ、ＢＵＵをそれぞれ設けているため、凸状片（爪片）ＡＫＲ、ＡＫＵを手の指で摘まなくても、スリットＢＵＲ、ＢＵＵの一方の側の近傍の右側縁１ＡＲ、１ＢＲ又は上側縁１ＡＵ、１ＢＵを一方の手の指で、スリットＢＵＲ、ＢＵＵの他方の側の近傍の右側縁１ＡＲ、１ＢＲ又は上側縁１ＡＵ、１ＢＵを他方の手の指で、それぞれ把持し、適度に曲げて凸状片（爪片）ＡＫＲ、ＡＫＵ側を裏シート部１Ｂ側に倒すと共に、スリットＢＵＲ、ＢＵＵ側を広げれば、凸状片（爪片）ＡＫＲ、ＡＫＵとスリットＢＵＲ、ＢＵＵとの係合を容易に行うことができ、
しかも、表シート部１Ａに形成された凸状片（爪片）ＡＫＲ、ＡＫＵを裏シート部に形成されたスリットＢＵＲ、ＢＵＵを介して裏シート部１Ｂの背面側に回り込ませて、凸状片（爪片）ＡＫＲ、ＡＫＵをスリットＢＵＲ、ＢＵＵに係止させるため、凸状片とそれに重ね合された裏シート部１Ｂとが互いに弾性的に押し合いして係止状態が安定的に保持され、書類１０がクリアファイル１から離脱するのをより防止することができる。
更に、クリアファイル１内の書類の移動によって、書類１０は凸状片（爪片）ＡＫＲ、ＡＫＵの内方縁の下端に当接し、つまり、書類の移動方向は、凸状片（爪片）ＡＫＲ、ＡＫＵとスリットＢＵＲ、ＢＵＵとの係止状態を解除する方向でないため、クリアファイル１内の書類１０の移動によって、解除されず、書類１０がクリアファイル１から離脱しにくい等の効果を奏する（図６及び図１０参照）。
【００２６】
凸状片ＡＫＵは、図３、図４に示すように、表シート部１Ａの上側縁１ＡＵの一部で構成された第１の辺部ＡＢと、この第１の辺部ＡＢに対向する第２の辺部ＣＤと、この第２の辺部ＣＤと第１の辺部ＡＢを接続する第３の辺部ＡＣとを有し、この第３の辺部ＡＣに対向する部位は一方のシート部の本体１Ａ１となっている。
なお、図３、図４に示す矢印方向は、書類１０がクリアファイル１から外方に向かう方向を示している。
そして、表シート部１Ａの本体１Ａ１と第２の辺部ＣＤとを接続する接続部位に、第１の辺部ＡＢに向かう切り欠き部Ｋ１が形成されて接続されている（図３参照）。
なお、凸状片（爪片）ＡＫＵをスリットＢＵＵに係止させると、図３に示す状態となる。凸状片ＡＫＵを画定する辺部ＡＣ，ＣＤは表シート部１Ａを線状に切り込んで形成したものではなく、ある程度の幅で切り取っているため、辺部ＡＣ、ＣＤと切り取り元の表シート部１Ａとの間には隙間が形成されている。係止時には、その隙間から裏シート部１Ｂが表側に露出するので、辺部ＡＣ、ＣＤを囲うように裏シート部１Ｂが見えている。なお、平面図では、図６の状態となる。係止させる際、係止が完了したことを確実に聞き取るためのクリップ効果音を「パチッ」とだすための凸状片ＡＫＵの大きさは、１０mm×１０mmで、望ましくは、７mm×７mmの大きさである。これは、特に、視覚障害者にとっては有益である。
凸状片（爪片）ＡＫＵをスリットＢＵＵに係止させると、クリアファイル１内の書類１０の移動方向は、例えば、図３、図４で言えば、図３、図４に示す矢印方向であり、書類１０の縁１０（Ｔ）は、凸状片（爪片）ＡＫＵの切り欠き部Ｋ１の先端部位に当接し、そこを支点してある程度は回動するにしても、クリアファイル１に通常挟み込む書類１０の大きさを考慮すれば、書類１０はクリアファイル１から離脱できない。凸状片（爪片）ＡＫＵとスリットＢＵＵとの係止状態を解除する場合は、図４で言えば、図４の紙面に垂直に裏シート部１Ｂと表シート部１Ａとを開いて離し、また、図６で言えば、裏シート部１Ｂを上方に表シート部１Ａを下方に開いて離して、凸状片（爪片）ＡＫＵをスリットＢＵＵから抜け出させることになるが、上記したように、書類１０の縁１０（Ｔ）が接続部位側に来ることはないので、書類１０は係合状態を解除できないからである。
なお、凸状片（爪片）ＡＫＵとスリットＢＵＵとの係止状態を解除するには、指で、表のシート部１Ａと裏のシート部１Ｂとが離間するように軽く広げるように引っ張ればよい。
【００２７】
また、凸状片ＡＫＲは、上述した凸状片ＡＫＵと同様に、図７、図８に示すように、表シート部１Ａの右側縁１ＡＲの一部で構成された第１の辺部ＡＢと、この第１の辺部ＡＢに対向する第２の辺部ＣＤと、この第２の辺部ＣＤと第１の辺部ＡＢを接続する第３の辺部ＡＣとを有し、この第３の辺部ＡＣに対向する部位は一方のシート部の本体１Ａ１となっている。
そして、表シート部の本体１Ａ１と第２の辺部ＣＤとを接続する接続部位に、第１の辺部ＡＢに向かう切り欠き部Ｋ２が形成されて接続されている（図７参照）。
なお、凸状片（爪片）ＡＫＲをスリットＢＵＲに係止させると、平面図では、図１０の状態となる。
凸状片（爪片）ＡＫＲをスリットＢＵＲに係止させると、クリアファイル１内の書類１０の移動方向は、例えば、図７、図８で言えば、図７、図８に示す矢印方向であり、書類１０の縁１０（Ｔ）は、凸状片（爪片）ＡＫＲの切り欠き部Ｋ２の先端部位に当接し、そこを支点としてある程度は回動するにしても、クリアファイル１に通常挟み込む書類１０の大きさを考慮すれば、書類１０はクリアファイル１から離脱できない。凸状片（爪片）ＡＫＲとスリットＢＵＲとの係止状態を解除する場合は、図７で言えば、図７の紙面に垂直に裏シート部１Ｂと表シート部１Ａとを開いて離し、また、図１０で言えば、裏シート部１Ｂを右方に表シート部１Ａを左方に開いて離して、凸状片（爪片）ＡＫＲをスリットＢＵＲから抜け出させることになるが、上記したように、書類１０の縁１０（Ｔ）が接続部位側に来ることはないので、書類１０は係合状態を解除できないからである。
なお、凸状片（爪片）ＡＫＲとスリットＢＵＲとの係止状態を解除するには、上述と同様、指で、表のシート部１Ａと裏のシート部１Ｂとが離間するように軽く広げるように引っ張ればよい。
【００２８】
また、指掛かり部の形状の右側縁開口部ＨＲ（又は、上側縁開口部ＨＵ）は、図１１に示すように、ＧＥＤＣＡＧのＸの開口形状の大きさからＧＥＪＣＡＧのＹの開口形状の大きさの範囲である。凸状片（爪片）ＡＫＲ（又は、ＡＫＵ）の大きさは、ＡＢＤＣの範囲内であれば良く、ＧＢの長さは、３０mm以上でも良い。また、スリットＢＵＲ（又は、ＢＵＵ）は、図１２に示すように、ＫＢＦＨで囲まれた範囲内であれば良い。図１１、図１２記載のＧＢの長さは、例えば、３０mm、ＡＢの長さは、例えば、１５mm、ＫＢ（又は、ＦＨ）の長さは、例えば、５mmである。
【００２９】
また、切り欠き部Ｋ１（又はＫ２）の形状は、図３（又は図７）に示すように、シート部１Ａの上側縁１ＡＵ（又は右側縁１ＡＲ）に向かう方向に狭い逆Ｖ字形状となっているが、本願発明にあっては、図３（又は図７）に限らず、例えば、図１３に示すような形状でも良く、また、図１４、図１５に示すように、第２の辺部ＣＤは、一方のシート部１Ａの本体１Ａ１に近づくに従って一方のシート部１Ａの上側縁１ＡＵ（又は右側縁１ＡＲ）に近づくように傾斜して接続されていても良いし、また、切り欠き部Ｋ１（又はＫ２）は、図１６に示すように、一方のシート部１Ａの上側縁１ＡＵ（又は、右側縁１ＡＲ）に向かう方向に閉じた略逆Ｕ字形形状に形成されていても良いし、また、切り欠き部Ｋ１（又はＫ２）は、図１７、図１８に示すように、一方のシート部１Ａの上側縁１ＡＵ（又は、右側縁１ＡＲ）に向かう方向に長い略長方形形状に形成されていても良い。
【００３０】
また、上述した凸状片（爪片）ＡＫＲ、ＡＫＵは、表シート部１Ａの上側縁１ＡＵ（又は、右側縁１ＡＲ）の一部で構成された第１の辺部ＡＢをそのまま、利用したが、第１の辺部Ａ’Ｂ’（又は、Ａ”Ｂ”）を一方のシート部１Ａの内方にカットしても良い（図１９、図２０参照）。
かかる場合、凸状片（爪片）ＡＫＵは、図１９に示すように、表シート部１Ａの上側縁１ＡＵの近傍に設けられ、凸状片ＡＫＵと一方のシート部１Ａの本体１Ａ１との接続部位に、上述と同様、上側縁１ＡＵに向かう切り欠き部Ｋ１が形成されて接続されているか、又は、凸状片ＡＫＵの突出縁部Ａ’Ｂ’、ＣＤの内、上側縁１ＡＵに遠い側の突出縁部ＣＤは、一方のシート部１Ａの本体１Ａ１に近づくに従って上側縁１ＡＵに近づくように傾斜して接続されていても良い。
また、凸状片（爪片）ＡＫＲは、上述の凸状片（爪片）ＡＫＵと同様、図２０に示すように、一方のシート部１Ａの右側縁１ＡＲの近傍に設けられ、凸状片ＡＫＵと一方のシート部１Ａの本体１Ａ１との接続部位に、上述と同様、右側縁１ＡＲに向かう切り欠き部Ｋ２が形成されて接続されているか、又は、凸状片ＡＫＲの突出縁部Ａ”Ｂ”、ＣＤの内、右側縁１ＡＲに遠い側の突出縁部ＣＤは、一方のシート部１Ａの本体１Ａ１に近づくに従って右側縁１ＡＲに近づくように傾斜して接続されていても良い。
【００３１】
図２１から図２３は、図１のクリアファイル１の係止構造を改変した別の実施例である。
表シート部１Ａの右側縁１ＡＲに係合部が形成され、それに対応して裏シート部１Ｂの右側縁１ＢＲに被係合部が形成されている。
【００３２】
図２２に詳細に示すように、係合部は、表シート部１Ａの右側縁１ＡＲが切り取られて形成された欠落部１０１（換言すれば、開口部）を利用して形成されている。
この欠落部１０１の切取り縁は、右側縁１ＡＲから間隔をあけて水平に延びる一対の水平縁１０３、１０５と、内方側で垂直に延びる垂直縁１０７と、この垂直縁１０７の上端と上側水平縁１０３の内方端とを繋ぐ湾曲縁１０９と、この垂直縁１０７の下端と下側水平縁１０５の内方端とを繋ぐ湾曲縁１１１とで構成されており、上下に長い部分長円状を呈している。
【００３３】
符号１１３は切込みを示し、この切込み１１３は上記した下側水平縁１０５と湾曲縁１１１との境界付近から延びている。この切込み１１３は直線状に略下方に延びているが若干傾斜して、右端縁１ＡＲに寄っている。
また、切込み１１３により、表シート部１Ａは左右両側に分かれるが、その両側にくるシート半部（ＣＬ）とシート半部（ＣＲ）の角部１１５、１１７は切り取られて丸みが付けられている。従って、切込み１１３の切込み口１１９は略三角形状に広げられている。
凸状片１２１は、この切込み１１３で形成されたシート半部（ＣＲ）側の切込縁１２３〜丸み縁１１７〜水平縁１０５（欠落部１０１の切取り縁）〜右側縁１ＡＲ(シート縁)によって構成されており、表シート部１Ａとの接続部位（基部）１２５は右側縁１ＡＲと略垂直になっている。また、切込縁１２３が右側縁１ＡＲに近づくように僅かではあるが傾斜しているので、その下端にある接続部位１２５は、その上側より幅寸法が狭められている。
【００３４】
一方、被係合部は、裏シート部１Ｂの右側縁１ＢＲを直線状に切り込んで形成したスリット１２７であり、右端端１ＢＲに垂直に延びている。また、この切込みにより、裏シート部１Ｂは上下両側に分かれるが、その両側にくるシート半部（ＣＵ）とシート半部（ＣＢ）のうち、上側にくるシート半部（ＣＵ）の角部１２９は丸みが付けられている。このシート半部（ＣＵ）の背面側が、係合時には、表シート部１Ａ側の凸状片１２１が回り込んで重ね合される部分である。
【００３５】
係合部、被係合部の寸法関係は、図２２に示す通りであり、単位はｍｍである。
【００３６】
係合させるときには、表シート部１Ａ側の凸状片１２１を裏シート部１Ｂ側に倒し、裏シート部１Ｂ側のスリット１２７を開く。これらは、シート部１Ａ，１Ｂを軽く曲げることでできる。
その後、凸状片１２１をスリット１２７に差し込んでいく。
【００３７】
図２３は、書類１０を挟み込んだ上で係合させた状態を示したものであり、この図に示すように、厚みのある書類１０の縁１０（Ｔ）が右側端１ＡＲに向かって動いたときでも、書類１０の厚い縁１０（Ｔ）は、切込縁１２３の端１２４に当たるだけであり、表シート部１Ａ側の接続部位１２５と裏シート部１Ｂ側のスリット１２７との間に入り込んで押し広げることはできない。押し広げられると、スリット１２７が開くと共に、凸状片１２１がスリット１２７から抜け出す方向に引かれるが、このクリアファイル１ではそのような方向には力が働かないので、係合状態は安定的に維持される。
また、接続部位１２５側が幅狭になっているので、書類１０の大きさを殆ど制限せずに、凸状片１２１の大きさを十分に大きくでき、係合状態を安定化させる押圧力が大きくなる。また、係止させる際には、凸状片１２１が裏シート部１Ｂに当たったときに「音」が出るが、この「音」が大きくなるので、係止完了音として係止完了の確認用に利用することができる。
さらに、欠落部１０１を利用した凸状片１２１の形成や、切込み口における丸み付けにより、凸状片１２１のスリット１２７への差込みがスムーズに実行される。なお、この凸状片１２１は、内方縁が切込縁１２３で形成されているので、指や近傍の置いた書類等が軽く引っ掛った程度では引き起こされたりすることはないので、使用前は、クリアファイル１は綺麗に面一になっている。
【符号の説明】
【００３８】
１…クリアファイル      １Ａ…表のシート部      １ＡＲ…表の右側縁
１ＡＵ…表の上側縁      １Ｂ…裏のシート部      １ＢＲ…裏の右側縁
１ＢＵ…裏の上側縁      ＡＫＵ…係止部      ＡＫＲ…係止部 
ＢＵＵ…被係止部      ＢＵＲ…被係止部      １０…書類
【図１】
2014178183.tif 000003
【図２】
2014178183.tif 000004
【図３】
2014178183.tif 000005
【図４】
2014178183.tif 000006
【図５】
2014178183.tif 000007
【図６】
2014178183.tif 000008
【図７】
2014178183.tif 000009
【図８】
2014178183.tif 000010
【図９】
2014178183.tif 000011
【図１０】
2014178183.tif 000012
【図１１】
2014178183.tif 000013
【図１２】
2014178183.tif 000014
【図１３】
2014178183.tif 000015
【図１４】
2014178183.tif 000016
【図１５】
2014178183.tif 000017
【図１６】
2014178183.tif 000018
【図１７】
2014178183.tif 000019
【図１８】
2014178183.tif 000020
【図１９】
2014178183.tif 000021
【図２０】
2014178183.tif 000022
【図２１】
2014178183.tif 000023
【図２２】
2014178183.tif 000024
【図２３】
2014178183.tif 000025
【手続補正書】
【提出日】平成27年9月11日(2015.9.11)
【手続補正１】
【補正対象書類名】特許請求の範囲
【補正対象項目名】請求項１４
【補正方法】変更
【補正の内容】
【請求項１４】
凸状片とスリットの組み合わせを、シート部の右側縁側と上側縁の両方に形成し、凸状片を形成したシート部では、それぞれの凸状片の頂部が時計回りまたは反時計回りで同じ方向を向いていることを特徴とする請求項９〜１３のいずれかに記載のクリアファイル。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
合成樹脂製の表裏のシート部の右側縁及び上側縁は開放されて前記表裏のシート部の間に書類を挟み込むことができるようになっているクリアファイルであって、
対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、
前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、
前記凸状片を前記一方のシート部の面から前記スリットを介して前記他方のシート部の背面側に回り込ませて、前記凸状片を前記スリットに係止させるクリアファイルにおいて、
前記凸状片は、前記一方のシート部の右側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、
前記一方のシート部の本体と前記第２の辺部とを接続する接続部位に、
前記第１の辺部に向かう切り欠き部が形成されて接続されているか、
又は、
前記第２の辺部は、前記一方のシート部の本体に近づくに従って前記一方のシート部の右側縁に近づくように傾斜して接続されていることを特徴とするクリアファイル。
【請求項２】
合成樹脂製の表裏のシート部の右側縁及び上側縁は開放されて前記表裏のシート部の間に書類を挟み込むことができるようになっているクリアファイルであって、
対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、
前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、
前記凸状片を前記一方のシート部の面から前記スリットを介して前記他方のシート部の背面側に回り込ませて、前記凸状片を前記スリットに係止させるクリアファイルにおいて、
前記凸状片は、前記一方のシート部の上側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、
前記一方のシート部の本体と前記第２の辺部とを接続する接続部位に、
前記第１の辺部に向かう切り欠き部が形成されて接続されているか、
又は、
前記第２の辺部は、前記一方のシート部の本体に近づくに従って前記一方のシート部の上側縁に近づくように傾斜して接続されていることを特徴とするクリアファイル。
【請求項３】
合成樹脂製の表裏のシート部の右側縁及び上側縁は開放されて前記表裏のシート部の間に書類を挟み込むことができるようになっているクリアファイルであって、
対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、
前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、
前記凸状片を前記一方のシート部の面から前記スリットを介して前記他方のシート部の背面側に回り込ませて、前記凸状片を前記スリットに係止させるクリアファイルにおいて、
前記一方のシート部は、前記一方のシート部の本体と、この一方のシート部の本体より突出した凸状片とを有し、
この凸状片は、前記一方のシート部の右側縁の近傍に設けられ、
前記凸状片と前記一方のシート部の本体との接続部位に、
前記右側縁に向かう切り欠き部が形成されて接続されているか、
又は、
前記凸状片の突出縁部の内、前記右側縁に遠い側の突出縁部は、前記一方のシート部の本体に近づくに従って前記右側縁に近づくように傾斜して接続されていることを特徴とするクリアファイル。
【請求項４】
合成樹脂製の表裏のシート部の右側縁及び上側縁は開放されて前記表裏のシート部の間に書類を挟み込むことができるようになっているクリアファイルであって、
対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、
前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、
前記凸状片を前記一方のシート部の面から前記スリットを介して前記他方のシート部の背面側に回り込ませて、前記凸状片を前記スリットに係止させるクリアファイルにおいて、
前記一方のシート部は、前記一方のシート部の本体と、この一方のシート部の本体より突出した凸状片とを有し、
この凸状片は、前記一方のシート部の上側縁の近傍に設けられ、
前記凸状片と前記一方のシート部の本体との接続部位に、
前記上側縁に向かう切り欠き部が形成されて接続されているか、
又は、
前記凸状片の突出縁部の内、前記上側縁に遠い側の突出縁部は、前記一方のシート部の本体に近づくに従って前記上側縁に近づくように傾斜して接続されていることを特徴とするクリアファイル。
【請求項５】
切り欠き部は、一方のシート部の右側縁又は上側縁に向かう方向に閉じた略逆Ｕ字形形状に形成されていることを特徴とする請求項１〜４のいずれかに記載のクリアファイル。
【請求項６】
切り欠き部は、一方のシート部の右側縁又は上側縁に向かう方向に長い略長方形形状に形成されていることを特徴とする請求項１〜４のいずれかに記載のクリアファイル。
【請求項７】
切り欠き部は、一方のシート部の右側縁又は上側縁に向かう方向に狭い逆Ｖ字形状に形成されていることを特徴とする請求項１〜４のいずれかに記載のクリアファイル。
【請求項８】
合成樹脂製の矩形の表シート部と裏シート部とが重ね合され、その右側及び上側の開放されたシート縁どうしの間を通して、前記表裏のシート部の間に書類を挟み込むことができるようになっているクリアファイルであって、
前記シート部の表裏の内、一方のシート部の開放されたシート縁側に係止部を設け、他方のシート部に前記係止部を係止させる被係止部を設けて、係止により挟み込んだ書類がクリアファイルから離脱するのを防止するものであり、
前記係止部は、シート部への切込み及び／またはシート部の一部領域の切取りにより形成され、シート部との接続部位がシート縁と略垂直になっている凸状片であり、
前記被係止部は、シート部への切込みにより形成され、シート縁から内方へ略垂直に延びるスリットであり、
前記凸状片を前記スリットに差し込んで前記スリット側シート部の背面側に回り込ませて重ね合わせることで係止させることを特徴とするクリアファイル。
【請求項９】
凸状片はシート部との接続部位側の幅寸法が、前記凸状片の内方縁の傾斜または接続部位側の切り欠きにより、狭められていることを特徴とする請求項８に記載のクリアファイル。
【請求項１０】
凸状片が、シート部のシート縁に連続した欠落部の縁からの切込みにより形成されていることを特徴とする請求項９に記載のクリアファイル。
【請求項１１】
凸状片形成用の切込みにより二つに分けられたシート部は、欠落部側にできた角部が切取られて丸みが付けられていることを特徴とする請求項１０に記載のクリアファイル。
【請求項１２】
スリット形成用の切込みにより分けられた二つのシート部のうち重ね合わせ側にくるものは、シート縁側にできた角部が切り取られて丸みが付けられていることを特徴とする請求項１０または１１に記載のクリアファイル。
【請求項１３】
凸状片とスリットの組み合わせを、シート部の右側縁側と上側縁の両方に形成し、凸状片を形成したシート部では、それぞれの凸状片の頂部が時計回りまたは反時計回りで同じ方向を向いていることを特徴とする請求項８〜１２のいずれかに記載のクリアファイル。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
請求項１記載のクリアファイルは、合成樹脂製の表裏のシート部の右側縁及び上側縁は開放されて前記表裏のシート部の間に書類を挟み込むことができるようになっているクリアファイルであって、対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、前記凸状片を前記一方のシート部の面から前記スリットを介して前記他方のシート部の背面側に回り込ませて、前記凸状片を前記スリットに係止させるクリアファイルにおいて、前記凸状片は、前記一方のシート部の右側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、前記一方のシート部の本体と前記第２の辺部とを接続する接続部位に、前記第１の辺部に向かう切り欠き部が形成されて接続されているか、又は、前記第２の辺部は、前記一方のシート部の本体に近づくに従って前記一方のシート部の右側縁に近づくように傾斜して接続されているものである。
【手続補正４】
【補正対象書類名】明細書
【補正対象項目名】０００８
【補正方法】変更
【補正の内容】
【０００８】
また、請求項２記載のクリアファイルは、合成樹脂製の表裏のシート部の右側縁及び上側縁は開放されて前記表裏のシート部の間に書類を挟み込むことができるようになっているクリアファイルであって、対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、前記凸状片を前記一方のシート部の面から前記スリットを介して前記他方のシート部の背面側に回り込ませて、前記凸状片を前記スリットに係止させるクリアファイルにおいて、前記凸状片は、前記一方のシート部の上側縁の一部で構成された第１の辺部と、この第１の辺部に対向する第２の辺部と、この第２の辺部と前記第１の辺部を接続する第３の辺部とを有し、この第３の辺部に対向する部位は前記一方のシート部の本体であり、前記一方のシート部の本体と前記第２の辺部とを接続する接続部位に、前記第１の辺部に向かう切り欠き部が形成されて接続されているか、又は、前記第２の辺部は、前記一方のシート部の本体に近づくに従って前記一方のシート部の上側縁に近づくように傾斜して接続されているものである。
【手続補正５】
【補正対象書類名】明細書
【補正対象項目名】０００９
【補正方法】変更
【補正の内容】
【０００９】
また、請求項３記載のクリアファイルは、合成樹脂製の表裏のシート部の右側縁及び上側縁は開放されて前記表裏のシート部の間に書類を挟み込むことができるようになっているクリアファイルであって、対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、前記凸状片を前記一方のシート部の面から前記スリットを介して前記他方のシート部の背面側に回り込ませて、前記凸状片を前記スリットに係止させるクリアファイルにおいて、前記一方のシート部は、前記一方のシート部の本体と、この一方のシート部の本体より突出した凸状片とを有し、この凸状片は、前記一方のシート部の右側縁の近傍に設けられ、前記凸状片と前記一方のシート部の本体との接続部位に、前記右側縁に向かう切り欠き部が形成されて接続されているか、又は、前記凸状片の突出縁部の内、前記右側縁に遠い側の突出縁部は、前記一方のシート部の本体に近づくに従って前記右側縁に近づくように傾斜して接続されているものである。
【手続補正６】
【補正対象書類名】明細書
【補正対象項目名】００１０
【補正方法】変更
【補正の内容】
【００１０】
また、請求項４記載のクリアファイルは、合成樹脂製の表裏のシート部の右側縁及び上側縁は開放されて前記表裏のシート部の間に書類を挟み込むことができるようになっているクリアファイルであって、対向する前記シート部の表裏の内、一方のシート部の右側縁及び／又は上側縁に係止部を、他方のシート部の前記右側縁及び／又は前記上側縁に被係止部をそれぞれ設け、前記係止部を前記被係止部に係止させて、前記書類が前記クリアファイルから離脱するのを防止するものであり、前記係止部は、前記一方のシート部の前記右側縁側及び／又は前記上側縁側に前記右側縁及び／又は前記上側縁より突出しないように、前記右側縁及び／又は前記上側縁の内方であって、前記一方のシート部に切り込んで形成された凸状片であり、前記被係止部は、前記他方のシート部に縁から切り込まれたスリットであり、前記凸状片を前記一方のシート部の面から前記スリットを介して前記他方のシート部の背面側に回り込ませて、前記凸状片を前記スリットに係止させるクリアファイルにおいて、前記一方のシート部は、前記一方のシート部の本体と、この一方のシート部の本体より突出した凸状片とを有し、この凸状片は、前記一方のシート部の上側縁の近傍に設けられ、前記凸状片と前記一方のシート部の本体との接続部位に、前記上側縁に向かう切り欠き部が形成されて接続されているか、又は、前記凸状片の突出縁部の内、前記上側縁に遠い側の突出縁部は、前記一方のシート部の本体に近づくに従って前記上側縁に近づくように傾斜して接続されているものである。
【手続補正７】
【補正対象書類名】明細書
【補正対象項目名】００１１
【補正方法】変更
【補正の内容】
【００１１】
また、請求項５記載のクリアファイルは、請求項１〜４のいずれかに記載のクリアファイルにおいて、切り欠き部は、一方のシート部の右側縁又は上側縁に向かう方向に閉じた略逆Ｕ字形形状に形成されているものである。
【手続補正８】
【補正対象書類名】明細書
【補正対象項目名】００１２
【補正方法】変更
【補正の内容】
【００１２】
また、請求項６記載のクリアファイルは、請求項１〜４のいずれかに記載のクリアファイルにおいて、切り欠き部は、一方のシート部の右側縁又は上側縁に向かう方向に長い略長方形形状に形成されているものである。
【手続補正９】
【補正対象書類名】明細書
【補正対象項目名】００１３
【補正方法】変更
【補正の内容】
【００１３】
また、請求項７記載のクリアファイルは、請求項１〜４のいずれかに記載のクリアファイルにおいて、切り欠き部は、一方のシート部の右側縁又は上側縁に向かう方向に狭い逆Ｖ字形状に形成されているものである。
【手続補正１０】
【補正対象書類名】明細書
【補正対象項目名】００１４
【補正方法】変更
【補正の内容】
【００１４】
請求項８記載のクリアファイルは、合成樹脂製の矩形の表シート部と裏シート部とが重ね合され、その右側及び上側の開放されたシート縁どうしの間を通して、前記表裏のシート部の間に書類を挟み込むことができるようになっているクリアファイルであって、前記シート部の表裏の内、一方のシート部の開放されたシート縁側に係止部を設け、他方のシート部に前記係止部を係止させる被係止部を設けて、係止により挟み込んだ書類がクリアファイルから離脱するのを防止するものであり、前記係止部は、シート部への切込み及び／またはシート部の一部領域の切取りにより形成され、シート部との接続部位がシート縁と略垂直になっている凸状片であり、前記被係止部は、シート部への切込みにより形成され、シート縁から内方へ略垂直に延びるスリットであり、前記凸状片を前記スリットに差し込んで前記スリット側シート部の背面側に回り込ませて重ね合わせることで係止させるものである。
請求項９記載のクリアファイルは、請求項８に記載のクリアファイルにおいて、凸状片はシート部との接続部位側の幅寸法が、前記凸状片の内方縁の傾斜または接続部位側の切り欠きにより、狭められているものである。
請求項１０記載のクリアファイルは、請求項９に記載のクリアファイルにおいて、凸状片が、シート部のシート縁に連続した欠落部の縁からの切込みにより形成されているものである。
請求項１１記載のクリアファイルは、請求項１０に記載のクリアファイルにおいて、凸状片形成用の切込みにより二つに分けられたシート部は、欠落部側にできた角部が切取られて丸みが付けられているものである。
請求項１２記載のクリアファイルは、請求項１０または１１に記載のクリアファイルにおいて、スリット形成用の切込みにより分けられた二つのシート部のうち重ね合わせ側にくるものは、シート縁側にできた角部が切り取られて丸みが付けられているものである。
請求項１３記載のクリアファイルは、請求項８〜１２のいずれかに記載のクリアファイルにおいて、凸状片とスリットの組み合わせを、シート部の右側縁側と上側縁の両方に形成し、凸状片を形成したシート部では、それぞれの凸状片の頂部が時計回りまたは反時計回りで同じ方向を向いているものである。
【手続補正１１】
【補正対象書類名】明細書
【補正対象項目名】００１５
【補正方法】変更
【補正の内容】
【００１５】
請求項１〜４のいずれかに記載のクリアファイルによれば、対向するシート部の表裏の内、一方のシート部の右側縁及び／又は上側縁に係止部を、他方のシート部の前記右側縁及び／又は前記上側縁に被係止部をそれぞれ設けているため、凸状片を手の指で摘まなくても、スリットの一方の側の近傍の右側縁又は上側縁を一方の手の指で、スリットの他方の側の近傍の右側縁又は上側縁を他方の手の指で、それぞれ把持し、手の動作を互いに異なる方向に動作させれば、凸状片（舌片）とスリットとの係合を容易に行うことができ、しかも、凸状片を一方のシート部の面からスリットを介して他方のシート部の面に位置させて、凸状片をスリットに係止させるため、対向する一方のシート部と他方のシート部とが互いに戻ろうとする一種の弾性力により係止状態が保持され、書類がクリアファイルから離脱するのをより防止することができ、更に、クリアファイル内の書類の移動によって、該書類は凸状片の回動部位の下端に当接し、つまり、書類の移動方向は、凸状片とスリットとの係止状態を解除する方向でないため、クリアファイル内の書類の移動によって、解除されず、書類がクリアファイルから離脱しにくい等の効果を奏する。
【手続補正１２】
【補正対象書類名】明細書
【補正対象項目名】００１６
【補正方法】変更
【補正の内容】
【００１６】
また、請求項１記載のクリアファイルによれば、更に、凸状片は、一方のシート部の本体と第２の辺部とを接続する接続部位に、第１の辺部に向かう切り欠き部が形成されて接続されているか、又は、第２の辺部は、一方のシート部の本体に近づくに従って一方のシート部の右側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。
【手続補正１３】
【補正対象書類名】明細書
【補正対象項目名】００１７
【補正方法】変更
【補正の内容】
【００１７】
また、請求項２記載のクリアファイルによれば、更に、凸状片は、一方のシート部の本体と第２の辺部とを接続する接続部位に、第１の辺部に向かう切り欠き部が形成されて接続されているか、又は、第２の辺部は、一方のシート部の本体に近づくに従って一方のシート部の上側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。
【手続補正１４】
【補正対象書類名】明細書
【補正対象項目名】００１８
【補正方法】変更
【補正の内容】
【００１８】
また、請求項３記載のクリアファイルによれば、更に、凸状片と前記一方のシート部の本体との接続部位に、前記右側縁に向かう切り欠き部が形成されて接続されているか、又は、前記凸状片の突出縁部の内、前記右側縁に遠い側の突出縁部は、前記一方のシート部の本体に近づくに従って前記右側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。
【手続補正１５】
【補正対象書類名】明細書
【補正対象項目名】００１９
【補正方法】変更
【補正の内容】
【００１９】
また、請求項４記載のクリアファイルによれば、更に、凸状片と前記一方のシート部の本体との接続部位に、前記上側縁に向かう切り欠き部が形成されて接続されているか、又は、前記凸状片の突出縁部の内、前記上側縁に遠い側の突出縁部は、前記一方のシート部の本体に近づくに従って前記上側縁に近づくように傾斜して接続されているため、つまり、クリアファイル内の書類の移動方向は、凸状片とスリットとの係止状態を解除する方向でないため、クリアファイル内の書類の移動によって、解除されず、書類がクリアファイルから離脱しにくい等の効果を奏する。
【手続補正１６】
【補正対象書類名】明細書
【補正対象項目名】００２０
【補正方法】変更
【補正の内容】
【００２０】
請求項８〜１３記載のクリアファイルによれば、凸状片を摘まずとも、シート部を曲げて凸状片をスリット側シート部に向けて倒すことで、係合させることができる。また、クリアファイルに挟み込んだ書類が動いてシート縁に寄っても、方向的に、凸状片の接続部位とスリットとの隙間を広げることはできないので、挟み込んだ書類の移動が原因で係合が解除されることはない。
クリアファイルに挟み込んだ書類が当たるのは、凸状片の内方縁の接続部位側の端部になるが、接続部位を幅狭に設定すれば、結果的にこの端部がシート縁側に寄るので、凸状片をある程度の大きさに設定しても、挟み込んだ書類の大きさを制限することにはならない。一方、凸状片をある程度の大きさに設計できるので、係合時にスリット側シート部の背面側と弾性的な押圧状態で重ね合されるので、この工夫を採用すれば、係合がより安定化する。
また、クリアファイルには、表シート部から裏シート部を離し易いように、シート縁、特に右端縁を丸く切り取って欠落部を形成することが多いが、この欠落部を利用して凸状片を形成すれば、その凸状片の頂部の上は空いているので、係合させる際には、凸状片を僅かに倒すだけで済む。このタイプでは、凸状片側やスリット側の切込みにより二つに分けられたシート部の角部に丸みを付けることで、差込みをスムーズにすることができる。
さらに、凸状片とスリットの組み合わせは、開放されたシート縁である右側縁と上端縁の両方に形成すれば、挟み込んだ書類がいずれのシート縁からも離脱し難くなるが、その場合には、凸状片の向きを時計回りまたは反時計回りで揃えることが好ましい。係合させるときに、シート部を多少なりとも曲げるので、揃えた方が、既に係合させた凸状片が脱落し難いからである。
【国際調査報告】
2014178183.tif 000026
2014178183.tif 000027